(57)【要約】【課題】新規性の高い演出により遊技の興趣を高め、従来の遊技台よりも遊技者の遊技意欲を持続させることができる遊技台を提供する。【解決手段】パチンコ機は、遊技球が通過する遊技領域に配設される表示装置１１０と、表示装置１１０の画面の前方に配設される蓄積装置２００と、を備え、蓄積装置２００は、遊技球が入球する入球口２０４と、入球口２０４に入球した遊技球を内部に収容する収容ケース２０２と、収容ケース２０２内の遊技球を排出する排出口２０６と、排出口２０６を開閉する排出口用扉部材２０６ａと、排出口用扉部材２０６ａを排出口２０６からの遊技球の排出を可能とする開位置と排出口２０６からの遊技球の排出を阻止する閉位置との間で移動させる排出口用扉部材駆動手段と、からなる。【選択図】図２
2008279084.tif 000002
【特許請求の範囲】
【請求項１】
遊技球が通過する遊技領域に配設される表示装置と、
前記表示装置の画面の前方に配設される蓄積装置と、を備え、
前記蓄積装置は、
遊技球が入球する入球口と、
前記入球口に入球した遊技球を内部に収容する収容ケースと、
前記収容ケース内の遊技球を排出する排出口と、
前記排出口を開閉する排出口用扉部材と、
前記排出口用扉部材を前記排出口からの遊技球の排出を可能とする開位置と前記排出口からの遊技球の排出を阻止する閉位置との間で移動させる排出口用扉部材駆動手段と、からなることを特徴とする、遊技台。
【請求項２】
前記収容ケースは、前記表示装置の画面を全て遮蔽する量の遊技球を収容することが可能な収容スペースを備えることを特徴とする、
請求項１に記載の遊技台。
【請求項３】
前記蓄積装置は、
前記入球口を開閉する入球口用扉部材と、
前記入球口用扉部材を前記入球口への遊技球の入球を可能とする開位置と前記入球口への遊技球の入球を阻止する閉位置との間で移動させる入球口用扉部材駆動手段と、をさらに備えることを特徴とする、
請求項１または２に記載の遊技台。
【請求項４】
前記収容ケースに所定量の遊技球が蓄積されたことを判断する判断手段をさらに備え、
前記入球口用扉部材駆動手段は、前記判断手段の判断結果に基づいて前記入球口用扉部材を駆動することを特徴とする、
請求項３に記載の遊技台。
【請求項５】
前記表示装置は、収容ケースに収容された遊技球により前記表示装置の画面が遮蔽された後に前記表示装置の画面に所定の情報を表示し、
前記蓄積装置は、遊技球を収容ケースから排出することで、前記所定の情報を徐々に前方から視認されるようにすることを特徴とする、
請求項１乃至４のいずれかに記載の遊技台。
【発明の詳細な説明】
【技術分野】
【０００１】
本発明はパチンコ機やスロットマシン等に代表される遊技台に関する。
【背景技術】
【０００２】
従来、パチンコ機等の遊技台では、遊技盤の遊技領域に、遊技球が入球可能な始動口と、複数個の図柄を変動表示可能な図柄表示部を備え、始動口に遊技球が入球すると、図柄表示部の図柄を所定時間変動して、変動後の図柄が予め定めた特定図柄の組み合わせである特定態様になった場合に、可変入賞口を所定時間開放させる等、遊技者に有利な遊技状態を発生させるようにしている。
【０００３】
この種の遊技台では、図柄表示部を画像表示装置等により構成し、その表示領域の図柄表示部に図柄を変動可能に表示すると共に、変動後の図柄が特定態様となる可能性が高いリーチ状態になった場合等、所定の条件になった場合に、表示領域の背景部分にキャラクタその他の動画等を出現させて、その動画等により図柄変動を演出し、遊技者のゲームに対する興趣を喚起している（例えば、特許文献１参照）。このような遊技台によれば、画像表示装置の図柄の背景部分を利用して動画等による演出表示を行うことにより、従来よりも斬新な演出を実現することができる。
【特許文献１】特開平４−１３８１８８号公報
【発明の開示】
【発明が解決しようとする課題】
【０００４】
しかしながら、上記従来の遊技台は、画像表示装置の図柄の背景部分を利用して動画等による演出表示を行うといった技術により遊技者が長時間飽きずに遊技を継続できるように構成しているが、遊技者からは、更に別の観点により遊技が単調になることを解消でき、新規性の高い演出によって面白みのある遊技台の開発が望まれていた。
【０００５】
本発明は、このような問題点を解決するためになされたものであって、新規性の高い演出により遊技の興趣を高め、従来の遊技台よりも遊技者の遊技意欲を持続させることができる遊技台を提供しようとするものである。
【課題を解決するための手段】
【０００６】
（１）本発明は、遊技球が通過する遊技領域に配設される表示装置と、前記表示装置の画面の前方に配設される蓄積装置と、を備え、前記蓄積装置は、遊技球が入球する入球口と、前記入球口に入球した遊技球を内部に収容する収容ケースと、前記収容ケース内の遊技球を排出する排出口と、前記排出口を開閉する排出口用扉部材と、前記排出口用扉部材を前記排出口からの遊技球の排出を可能とする開位置と前記排出口からの遊技球の排出を阻止する閉位置との間で移動させる排出口用扉部材駆動手段と、からなることを特徴とする、遊技台である。
【０００７】
（２）本発明はまた、前記収容ケースは、前記表示装置の画面を全て遮蔽する量の遊技球を収容することが可能な収容スペースを備えることを特徴とする、上記（１）に記載の遊技台である。
【０００８】
（３）本発明はまた、前記蓄積装置は、前記入球口を開閉する入球口用扉部材と、前記入球口用扉部材を前記入球口への遊技球の入球を可能とする開位置と前記入球口への遊技球の入球を阻止する閉位置との間で移動させる入球口用扉部材駆動手段と、をさらに備えることを特徴とする、上記（１）または（２）に記載の遊技台である。
【０００９】
（４）本発明はまた、前記収容ケースに所定量の遊技球が蓄積されたことを判断する判断手段をさらに備え、前記入球口用扉部材駆動手段は、前記判断手段の判断結果に基づいて前記入球口用扉部材を駆動することを特徴とする、上記（３）に記載の遊技台である。
【００１０】
（５）本発明はまた、前記表示装置は、収容ケースに収容された遊技球により前記表示装置の画面が遮蔽された後に前記表示装置の画面に所定の情報を表示し、前記蓄積装置は、遊技球を収容ケースから排出することで、前記所定の情報を徐々に前方から視認されるようにすることを特徴とする、上記（１）乃至（４）のいずれかに記載の遊技台である。
【発明の効果】
【００１１】
本発明に係る遊技台によれば、新規性の高い演出により遊技の興趣を高め、従来の遊技台よりも遊技者の遊技意欲を持続させることができるという優れた効果を奏し得る。
【発明を実施するための最良の形態】
【００１２】
以下、図面を用いて、本発明の実施例１に係るパチンコ機（遊技台）について詳細に説明する。
【実施例１】
【００１３】
＜全体構成＞
【００１４】
まず、図１を用いて、本発明の実施例１に係るパチンコ機１００の全体構成について説明する。なお、同図はガラス枠１５１を開いた状態のパチンコ機１００を示す斜視図である。
【００１５】
パチンコ機１００は、遊技領域１０４を覆う閉状態および該遊技領域１０４を開放する開状態のうちの一方から他方に開閉状態を変化可能なガラス枠１５１と、このガラス枠１５１の奥側に視認可能に配設された遊技盤(盤面)１０２を備えている。この遊技盤１０２には、遊技球（以下、単に球と称する場合がある。）を遊技盤１０２の中央に位置する遊技領域１０４に案内するための外レール１０６と内レール１０８を配設している。
【００１６】
遊技領域１０４の中央やや上側には、横長の装飾図柄表示装置１１０を配設し、この装飾図柄表示装置１１０の下側には、普通図柄表示装置１１２と、特別図柄表示装置１１４と、普通図柄保留ランプ１１６と、特別図柄保留ランプ１１８と、高確中ランプ１２０を配設している。なお、以下、普通図柄を普図、特別図柄を特図と称する場合がある。
【００１７】
装飾図柄表示装置１１０は、装飾図柄（図８（ｂ）参照）を表示するための表示装置であり、本実施例では液晶表示装置によって構成する。この装飾図柄表示装置１１０は、左図柄表示領域１１０ａ、中図柄表示領域１１０ｂ、右図柄表示領域１１０ｃの３つの表示領域に分割し、各々の表示領域１１０ａ、１１０ｂ、１１０ｃに異なった装飾図柄を表示することを可能としている。
【００１８】
普図表示装置１１２は、普図（図８（ｃ）参照）の表示を行うための表示装置であり、本実施例では７セグメントＬＥＤによって構成する。特図表示装置１１４は、特図（図８（ａ）参照）の表示を行うための表示装置であり、本実施例では７セグメントＬＥＤによって構成する。
【００１９】
普図保留ランプ１１６は、保留している普図変動遊技（詳細は後述）の数を示すためのランプであり、本実施例では、普図変動遊技の開始を２つまで保留することを可能としている。特図保留ランプ１１８は、保留している特図変動遊技（詳細は後述）の数を示すためのランプであり、本実施例では、特図変動遊技の開始を４つまで保留することを可能としている。高確中ランプ１２０は、遊技状態が高確率状態であること、または高確率状態になることを示すためのランプであり、遊技状態を低確率状態から高確率状態にする場合に点灯し、高確率状態から低確率状態にする場合に消灯する。
【００２０】
また、これらの表示装置やランプの下側には、ワープ装置１８０を配設している。さらに、このワープ装置１８０の上方には、装飾図柄表示装置１１０を前方から覆うように蓄積装置２００を配設している。
【００２１】
ワープ装置１８０は、蓄積装置２００の左右に設けた入球口に入球した遊技球を、蓄積装置２００の下方に設けた前面ステージ上に排出して転動させた上で、後述する第１特図始動口１２６および第２特図始動口１２８に向けて排出するものである。
【００２２】
蓄積装置２００は、後述する可変入賞口１３０に入球した遊技球を、一時蓄積するものであり、詳細については後述する。
【００２３】
そして、これらのワープ装置１８０および蓄積装置２００の周囲には、一般入賞口１２２と、普図始動口１２４と、第１特図始動口１２６と、第２特図始動口１２８と、可変入賞口１３０を配設している。
【００２４】
一般入賞口１２２は、本実施例では左右に２つずつ配設しており、この一般入賞口１２２への入球を所定の球検出センサ（図示省略）が検出した場合（一般入賞口１２２に入賞した場合）、後述する払出装置４０２を駆動し、所定の個数（本実施例では１０個）の球を賞球として後述する貯留皿１４４に排出する。貯留皿１４４に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を賞球、遊技者に貸し出す球を貸球と区別して呼ぶ場合があり、賞球と貸球を総称して球（遊技球）と呼ぶ。
【００２５】
普図始動口１２４は、ゲートやスルーチャッカーと呼ばれる、遊技領域１０４の所定の領域を球が通過したか否かを判定するための装置で構成しており、本実施例では左右に１つずつ配設している。普図始動口１２４を通過した球は一般入賞口１２２に入球した球と違って、遊技島側に排出することはない。球が普図始動口１２４を通過したことを所定の球検出センサが検出した場合、パチンコ機１００は、普図表示装置１１２による普図変動遊技を開始する。
【００２６】
第１特図始動口１２６は、本実施例ではワープ装置１８０の下方の中央に１つだけ配設している。この第１特図始動口１２６への入球を所定の球検出センサが検出した場合、後述する払出装置４０２を駆動し、所定の個数（本実施例では３個）の球を賞球として後述する貯留皿１４４に排出するとともに、特図表示装置１１４による特図変動遊技を開始する。なお、第１特図始動口１２６に入球した球は、パチンコ機１００の裏側に誘導した後、遊技島側に排出する。
【００２７】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、後述する払出装置４０２を駆動し、所定の個数（本実施例では５個）の球を賞球として後述する貯留皿１４４に排出するとともに、特図表示装置１１４による特図変動遊技を開始する。なお、第２特図始動口１２８に入球した球は、パチンコ機１００の裏側に誘導した後、遊技島側に排出する。
【００２８】
可変入賞口１３０は、大入賞口またはアタッカーと呼ばれ、本実施例では蓄積装置２００の上部に１つだけ配設している。この可変入賞口１３０は、開閉自在な扉部材を備え、扉部材の閉鎖中は球の入球が不可能であり、特図変動遊技に当選し、特図表示装置１１４が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、後述する払出装置４０２を駆動し、所定の個数（本実施例では１５球）の球を賞球として後述する貯留皿１４４に排出する。なお、可変入賞口１３０に入球した球は、蓄積装置２００に誘導して蓄積装置２００内に一時蓄積した後に、パチンコ機１００の裏側の遊技島側に排出する（詳細は後述する）。
【００２９】
さらに、これらの入賞口や始動口の近傍には、風車と呼ばれる円盤状の打球方向変換部材１３２や、遊技釘（図示省略）を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００３０】
遊技盤１０２の下方には、後述する発射モータ４５２によって回動する発射杆１３８と、この発射杆１３８の先端部に取り付けられて球を遊技領域１０４に向けて打ち出す発射槌１４０と、この発射槌１４０によって打ち出す球を外レール１０６に導くための発射レール１４２と、球を一時的に貯留すると共に、貯留している球を順次、発射レール１４２に供給するための貯留皿１４４と、遊技者による押下操作が可能であり、所定の時期にその操作を検出した場合に上述の装飾図柄表示装置１１０などによる演出表示を変化させるためのチャンスボタン１４６を配設している。
【００３１】
また、発射杆１３８および発射槌１４０の下方には、発射杆１３８を制御して遊技領域１０４に向けて球の発射強度の操作を行うための操作ハンドル１４８を配設していると共に、貯留皿１４４の下方には、貯留皿１４４に貯留できない溢れ球を貯留するための下皿１５０を設けている。
【００３２】
また、図示は省略するが、装飾用のランプとして、遊技盤１０２の所定箇所（例えば、内レール１０８の内周側に沿った箇所）には複数種類の盤ランプを配設し、遊技盤１０２上方の外側や貯留皿１４４には複数種類の枠ランプを配設している。
【００３３】
このパチンコ機１００は、遊技者が貯留皿１４４に貯留している球を発射レール１４２の発射位置に供給し、遊技者の操作ハンドル１４８の操作量に応じた強度で発射モータ４５２を駆動し、発射杆１３８および発射槌１４０によって外レール１０６、内レール１０８を通過させて遊技領域１０４に打ち出す。そして、遊技領域１０４の上部に到達した球は、打球方向変換部材１３２や遊技釘などによって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００３４】
＜蓄積装置＞
【００３５】
次に、蓄積装置２００について説明する。
【００３６】
図２および図３は、蓄積装置２００周辺を拡大して示す分解斜視図である。図２に示されるように、蓄積装置２００は、収容ケース２０２と、入球口２０４と、排出口２０６と、からなる。
【００３７】
収容ケース２０２は、ガラスまたは樹脂等の透明な素材からなる略直方体状の中空体であり、内部に複数の遊技球を収容（蓄積）するものである。収容ケース２０２は、ワープ装置１８０の上方において、装飾図柄表示装置１１０の前方に配設されている。また、収容ケース２０２の幅および高さは、後方の装飾図柄表示装置１１０と略同一となっている。これにより、収容ケース２０２は、前方から装飾図柄表示装置１１０の略全面を覆っており、遊技者は収容ケース２０２を通して装飾図柄表示装置１１０の表示を視認することとなる。そして、収容ケース２０２の上面および下面にそれぞれ入球口２０４および排出口２０６が設けられている。
【００３８】
入球口２０４は、図３に示されるように、横長の長方形状の開口部であり、収容ケース２０２の上面の略中央に設けられている。また、入球口２０４は、入球口２０４を開閉するための入球口用扉部材２０４ａを備えている。この入球口用扉部材２０４ａは、正面から見て右方向にスライドして入球口２０４を開く開位置に移動し、正面から見て左方向にスライドして入球口２０４を閉じる閉位置に移動するように構成されている。また、入球口２０４の後方には、入球口用扉部材２０４ａを歯車を介して駆動する入球口開閉用モータ２０４ｂが配設されている。
【００３９】
排出口２０６は、横長の長方形状の開口部であり、収容ケース２０２の下面の略中央に設けられている。また、排出口２０６は、排出口２０６を開閉するための排出口用扉部材２０６ａを備えている。この排出口用扉部材２０６ａは、入球口用扉部材２０４ａと同様に構成され、正面から見て右方向の開位置と、正面から見て左方向の閉位置との間を移動する。また、排出口２０６の後方には、排出口用扉部材２０６ａを歯車を介して駆動する排出口開閉用モータ２０６ｂが配設されている。
【００４０】
収容ケース２０２の下面は、中央の排出口２０６に向けて低くなるように傾斜が付けられている。これにより、収容ケース２０２内に収容された遊技球は、排出口２０６に向けて自然と導かれ、排出口用扉部材２０６ａを開いた場合、排出口２０６から排出されるようになっている。
【００４１】
蓄積装置２００の上部には、図２に示されるように、可変入賞口１３０が配設されている。すなわち、蓄積装置２００の上部やや前方に可変入賞口１３０と、前後にスライドして可変入賞口１３０を開閉する可変入賞口用扉部材１３０ａと、可変入賞口用扉部材１３０ａを駆動する可変入賞口開閉用ソレノイド１３０ｂが配設されている。
【００４２】
また、可変入賞口１３０の後面下部には、可変入賞口１３０に入球した遊技球をパチンコ機１００の裏側へと誘導する誘導通路１３１が接続されている。この誘導通路１３１は、略長方形断面のトンネル状の通路であり、可変入賞口１３０の後面から後方に向かった後に下方へと曲がり、装飾図柄表示装置１１０の裏側を通ってパチンコ機１００の裏側下部へと続いている。そして、この誘導通路１３１には、図３に示すように、可変入賞口１３０から後方へ向かう途中の下面に開口部１３１ａが形成されている。この開口部１３１ａは、蓄積装置２００の入球口２０４と繋げられている。
【００４３】
図４は、蓄積装置２００周辺の遊技盤１０２の断面図である。同図に示されるように、誘導通路１３１の最初の部分は、可変入賞口１３０から斜め下方向に向かう斜面となっており、この斜面の後方に開口部１３１ａが形成されている。これにより、可変入賞口１３０に入球した遊技球は、入球口用扉部材２０４ａが開かれている場合には、開口部１３１ａおよび入球口２０４を通過して収容ケース２０２内へと落下し、収容ケース２０２内部に収容されるようになっている。
【００４４】
また、蓄積装置２００の排出口２０６には、排出通路２０８が接続されている。この排出通路２０８は、排出口２０６から斜め下後方へと向かい誘導通路１３１に接続されている。これにより、収容ケース２０２内に収容されていた遊技球は、排出口用扉部材２０６ａが開かれた場合には、排出口２０６および排出通路２０８を通過して誘導通路１３１へと導かれるようになっている。
【００４５】
図５〜７は、蓄積装置２００の収容ケース２０２内に遊技球１０１を収容した場合を示す斜視図である。収容ケース２０２は、予め定めた個数（後述する第２所定数）、例えば、大当たり遊技中に可変入賞口１３０内に入球する遊技球の最大数である１５０個の遊技球１０１を収容可能な大きさに設定されている。さらに、収容ケース２０２は、予め定めた最大数の遊技球１０１を収容した場合に、後方の装飾図柄表示装置１１０の全ての表示を、収容ケース２０２内部に収容した遊技球１０１によって遮蔽するように、奥行きの寸法が設定されている。
【００４６】
図５は、予め定めた最大数の遊技球１０１を収容ケース２０２内に収容した場合を示している。同図に示されるように、予め定めた最大数の遊技球１０１を収容ケース２０２内に収容した場合、装飾図柄表示装置１１０の表示は、前方から全く視認不可能、または複数の遊技球１０１の隙間からごく一部の表示がわずかに視認可能なように、収容ケース２０２内に収容された遊技球１０１によって遮蔽されることとなる。
【００４７】
図５に示した状態から排出口用扉部材２０６ａを開くと、収容ケース２０２内に収容された遊技球１０１は、徐々に排出口２０６から排出されていくこととなる。すると、装飾図柄表示装置１１０の表示は、図６に示されるように、収容ケース２０２内の遊技球の数が減少するにつれて、上部から少しずつ視認されるようになる。そして、図７に示されるように、収容ケース２０２内の遊技球１０１が略全て排出された場合に、装飾図柄表示装置１１０の表示（ここでは、「確変」というメッセージ）の略全てが視認可能となる。
【００４８】
このように、蓄積装置２００は、収容ケース２０２内に蓄積した遊技球を利用して、装飾図柄表示装置１１０の表示を遊技者が視認不可能または困難となるように遮蔽するという斬新な機能を備えており、この機能を用いた多彩な演出を行うことを可能とするものである。
【００４９】
＜図柄の種類＞
【００５０】
次に、図８（ａ）〜（ｃ）を用いて、パチンコ機１００の特図表示装置１１４、装飾図柄表示装置１１０、普図表示装置１１２が停止表示する特図および普図の種類について説明する。
【００５１】
図８（ａ）は特図の停止表示態様の一例を示したものである。本実施例の特図の停止表示態様には、大当たり図柄である特図１と、特別大当たり図柄である特図２と、外れ図柄である特図３の３種類がある。第１特図始動口１２６または第２特図始動口１２８に球が入賞したことを所定の球検出センサが検出したことを条件として特図変動遊技を開始した場合には、特図表示装置１１４は、７個のセグメントの全点灯と、中央の１個のセグメントの点灯を繰り返す特図の変動表示を行う。そして、特図の変動開始前に決定した変動時間が経過すると、特図変動遊技（大当たり遊技）の当選を報知する場合には特図１を停止表示し、特図変動遊技（特別大当たり遊技）の当選を報知する場合には特図２を停止表示し、特図変動遊技の外れを報知する場合には特図３を停止表示する。なお、図中の白抜きの部分が消灯するセグメントの場所を示し、黒塗りの部分が点灯するセグメントの場所を示している。
【００５２】
図８（ｂ）は装飾図柄の一例を示したものである。本実施例の装飾図柄には、装飾１〜装飾８の８種類がある。第１特図始動口１２６または第２特図始動口１２８に球が入賞したことを所定の球検出センサが検出したことを条件にして、装飾図柄表示装置１１０の左図柄表示領域１１０ａ、中図柄表示領域１１０ｂ、右図柄表示領域１１０ｃの各図柄表示領域に、装飾１→装飾２→装飾３→・・・・装飾７→装飾８→装飾１→・・・の順番で表示を切り替える装飾図柄の変動表示を行う。そして、特図変動遊技（大当たり遊技）の当選を報知する場合には、図柄表示領域１１０ａ〜１１０ｃに大当たりに対応する図柄組合せ（本実施例では、同一の数字の装飾図柄の組合せ（例えば、装飾２−装飾２−装飾２））を停止表示し、特図変動遊技（特別大当たり遊技）の当選を報知する場合には、特別大当たりに対応する図柄組合せ（本実施例では、同一の奇数番号数字の装飾図柄の組合せ（例えば、装飾１−装飾１−装飾１））を停止表示する。なお、大当たりに対応する図柄の組合せを停止表示した場合には、大当たり遊技、または特別大当たり遊技を開始し、特別大当たりに対応する図柄の組合せを停止表示した場合には、特別大当たり遊技を開始する。また、外れを報知する場合には、図柄表示領域１１０ａ〜１１０ｃに大当たりに対応する図柄組合せ以外の図柄組合せを停止表示した後で、保留している装飾図柄の変動表示があれば、その変動表示を開始する。
【００５３】
図８（ｃ）は普図の停止表示態様の一例を示したものである。本実施例の普図の停止表示態様には、当たり図柄である普図１と、外れ図柄である普図２の２種類がある。普図始動口１２４を球が通過したことを所定の球検出センサが検出したことを条件として普図表示遊技を開始した場合には、普図表示装置１１２は、７個のセグメントの全点灯と、中央の１個のセグメントの点灯を繰り返す普図の変動表示を行う。そして、普図変動遊技の当選を報知する場合には普図１を停止表示し、普図変動遊技の外れを報知する場合には普図２を停止表示する。
【００５４】
＜制御部＞
【００５５】
次に、図９を用いて、このパチンコ機１００の制御部の回路構成について詳細に説明する。なお、同図は主制御部、演出制御部、払出制御部、発射制御部、および電源管理部の回路ブロック図である。
【００５６】
パチンコ機１００の制御部は、大別すると、遊技の中枢部分を制御する主制御部３００と、主制御部３００が送信するコマンド信号（以下、単にコマンドと呼ぶ）に応じて、主に演出の制御を行う演出制御部３５０と、主制御部３００が送信するコマンドに応じて、主に遊技球の払い出しに関する制御を行う払出制御部４００と、遊技球の発射制御を行う発射制御部４５０と、パチンコ機１００に供給される電源を、パチンコ機１００に搭載した電気部品に送電するための所定の電力を生成する電源管理部５００によって構成している。
【００５７】
＜主制御部＞
【００５８】
まず、パチンコ機１００の主制御部３００について説明する。
【００５９】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数などを計測するためのカウンタタイマ３１２と、を搭載している。なお、ＲＯＭ３０６やＲＡＭ３０８については他の記憶手段を用いてもよく、この点は後述する演出制御部３５０や払出制御部４００についても同様である。この基本回路３０２のＣＰＵ３０４は、水晶発信器３１４ｂが出力する所定周期のクロック信号をシステムクロックとして入力して動作する。
【００６０】
また、基本回路３０２には、水晶発信器３１４ａが出力するクロック信号を受信する度に０〜６５５３５の範囲で数値を変動させるハードウェア乱数カウンタとして使用しているカウンタ回路３１６（この回路には２つのカウンタを内臓しているものとする）と、ガラス枠１５１の開放／閉鎖を検出するガラス枠開放センサ、前枠の開放／閉鎖を検出する前枠開放センサ、下皿１５０が球で一杯になったことを検出する下皿満タンセンサ、各始動口、入賞口の入り口および可変入賞口の内部に設けた球検出センサなどを含む各種センサ３１８が出力する信号を受信し、増幅結果や基準電圧との比較結果をカウンタ回路３１６および基本回路３０２に出力するためのセンサ回路３２０と、特図表示装置１１４の表示制御を行うための表示回路３２２と、普図表示装置１１２の表示制御を行うための表示回路３２４と、各種状態表示部３２６（普図保留ランプ１１６、特図保留ランプ１１８など）の表示制御を行うための表示回路３２８と、第２特図始動口１２８や可変入賞口１３０などを開閉駆動する各種ソレノイド３３０を制御するためのソレノイド回路３３２を接続している。
【００６１】
なお、第１特図始動口１２６に球が入賞したことを球検出センサ３１８が検出した場合には、センサ回路３２０は球を検出したことを示す信号をカウンタ回路３１６に出力する。この信号を受信したカウンタ回路３１６は、第１特図始動口１２６に対応するカウンタのそのタイミングにおける値をラッチし、ラッチした値を、第１特図始動口１２６に対応する内蔵のカウンタ値記憶用レジスタに記憶する。また、カウンタ回路３１６は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００６２】
さらに、基本回路３０２には、情報出力回路３３４を接続しており、主制御部３００は、この情報出力回路３３４を介して、外部のホールコンピュータ（図示省略）等が備える情報入力回路５５０にパチンコ機１００の遊技情報（例えば、遊技状態）を出力する。
【００６３】
また、主制御部３００には、電源管理部５００から主制御部３００に供給している電源の電圧値を監視する電圧監視回路（図示省略）を設けており、この電圧監視回路は、電源の電圧値が所定の値（本実施例では９ｖ）未満である場合に電圧が低下したことを示す低電圧信号を基本回路３０２に出力する。
【００６４】
また、主制御部３００には、電源が投入されると起動信号を出力する起動信号出力回路（図示省略）を設けており、ＣＰＵ３０４は、この起動信号出力回路から起動信号を入力した場合に、遊技制御を開始する（後述する主制御部メイン処理を開始する）。
【００６５】
また、主制御部３００には、演出制御部３５０にコマンドを送信するための出力インターフェースと、払出制御部４００にコマンドを送信するための出力インターフェースをそれぞれ設けており、演出制御部３５０には、主制御部３００からコマンドを受信するための入力インターフェースを設け、払出制御部４００には、主制御部３００からコマンドを受信するための入力インターフェースを設けている。この構成により、主制御部３００と、演出制御部３５０および払出制御部４００との通信を可能としている。なお、主制御部３００と演出制御部３５０および払出制御部４００との情報通信は一方向の通信であり、主制御部３００は演出制御部３５０および払出制御部４００にコマンド等の信号を送信できるように構成しているが、演出制御部３５０および払出制御部４００からは主制御部３００にコマンド等の信号を送信できないように構成している。
【００６６】
＜演出制御部＞
【００６７】
次に、パチンコ機１００の演出制御部３５０について説明する。
【００６８】
演出制御部３５０は、主に主制御部３００が送信したコマンド等に基づいて演出制御部３５０の全体を制御する基本回路３５２を備えており、この基本回路３５２には、ＣＰＵ３５４と、制御プログラムや各種データを記憶するためのＲＯＭ３５６と、一時的にデータを記憶するためのＲＡＭ３５８と、各種デバイスの入出力を制御するためのＩ／Ｏ３６０と、時間や回数などを計測するためのカウンタタイマ３６２を搭載している。この基本回路３５２のＣＰＵ３５４は、水晶発信器３６４が出力する所定周期のクロック信号をシステムクロックとして入力して動作する。
【００６９】
また、基本回路３５２には、スピーカ３６６（およびアンプ）の制御を行うための音源ＩＣ３６８と、枠ランプ、盤ランプなどの各種ランプ３７０の制御を行うための表示回路３７２と、装飾図柄表示装置（液晶表示装置）１１０の制御を行うための液晶制御回路３７４と、チャンスボタン１４６の操作を検出した場合に基本回路３５２に検出信号を出力するチャンスボタン検出回路３６４を接続している。
【００７０】
また、演出制御部３５０には、電源が投入されると起動信号を出力する起動信号出力回路（図示省略）を設けており、ＣＰＵ３５４は、この起動信号出力回路から起動信号を入力した場合に、演出制御を開始する。
【００７１】
＜払出制御部、発射制御部、電源管理部＞
【００７２】
次に、パチンコ機１００の払出制御部４００、発射制御部４５０、および電源管理部５００について説明する。
【００７３】
払出制御部４００は、主に主制御部３００が送信したコマンド等の信号に基づいて払出装置４０２を制御すると共に、払出センサ４０４が出力する制御信号に基づいて賞球または貸球の払い出しが完了したか否かを検出すると共に、インターフェース部４０６を介して、パチンコ機１００とは別体で設けられたカードユニット５５２との通信を行う。
【００７４】
発射制御部４５０は、払出制御部４００が出力する、発射許可または停止を指示する制御信号や、操作ハンドル１４８内に設けた発射強度出力回路が出力する、遊技者による発射ハンドル１４８の操作量に応じた発射強度を指示する制御信号に基づいて、発射杆１３８および発射槌１４０を駆動する発射モータ４５２の制御や、貯留皿１４４から発射レール１４２に球を供給する球送り装置４５４の制御を行う。
【００７５】
電源管理部５００は、パチンコ機１００に外部から供給される交流電源を直流化し、所定の電圧に変換して主制御部３００、払出制御部４００などの各制御部や払出装置４０２などの各装置に供給する。さらに、電源管理部５００は、外部からの電源が断たれた後も所定の部品（例えば主制御部３００のＲＡＭ３０８など）に所定の期間（例えば１０日間）電力を供給するための蓄電装置（例えばコンデンサ）と、この蓄電装置よりも静電容量が小さく、所定の部品（例えば主制御部３００の基本回路３０２全体）に供給している電力が、静電気ノイズ、人的なミス、遊技台に供給される電力の低下などが原因で変動し、低下している場合に、ある程度の電力を補うための蓄電装置（例えばコンデンサ）をさらに備えている。この蓄電装置により、所定の部品（例えば主制御部３００）に供給される電力が電断時、復電時などに不安定になっても、ある程度安定してその所定の部品は動作できるように構成している。また、電源管理部５００を構成する電源基板には遊技店の店員などが操作可能な操作部（ＲＡＭクリアスイッチ）を備えており、電源投入時にこの操作部が操作されていることを検出した場合には、各制御部の基本回路３０２、３５２および４０２に、ＲＡＭ３０８および３５８を初期化することを指令するＲＡＭクリア信号を出力するようにしている。
【００７６】
＜主制御部のデータテーブル＞
【００７７】
次に、パチンコ機１００の主制御部３００のＲＯＭ３０６が記憶しているデータテーブルについて説明する。図１０（ａ）に示す大当たり判定テーブルは、ＲＡＭ３０８に設けた遊技状態格納領域に記憶している特図抽選状態の種類と、抽選データと、を対応付けして記憶したデータテーブルである。
【００７８】
主制御部３００の基本回路３０２は、この大当たり判定テーブルを用いて特図変動遊技を当選（大当たり）とするか、不当選（外れ）とするかの決定、すなわち大当たり判定を行う。なお、特図抽選状態の情報は、特図変動遊技を所定の低確率で当選と判定する低確率状態を示す情報、および低確率よりも高い高確率で特図変動遊技を当選と判定する高確率状態を示す情報などを含むが、以下、これらを単に低確率状態および高確率状態と称する。また、遊技状態格納領域に記憶する情報には別の情報もあるが、これらの情報については後述する。
【００７９】
大当たり判定テーブルの抽選データは、第１特図始動口１２６または第２特図始動口１２８に球が入賞したことを所定の球検出センサが検出した場合に開始する特図変動遊技の結果を決定するために使用する抽選データである。例えば、特図抽選状態が低確率状態の場合、取得した特図当選乱数値（乱数値については後述する）が１０００１〜１０１８７であるときは、特図変動遊技の当選と判定してＲＡＭ３０８に設けた大当たりフラグの格納領域に大当たりとなることを示す情報を設定する（以下、大当たりフラグの格納領域に大当たりの情報を設定することを「大当たりフラグをオンに設定する」という）。一方、取得した特図当選乱数値が１０００１〜１０１８７以外の数値である場合には、特図変動遊技の外れと判定して上述の大当たりフラグの格納領域に外れとなることを示す情報を設定する（以下、大当たりフラグの格納領域に外れの情報を設定することを「大当たりフラグをオフに設定する」という）。なお、本実施例では、特図当選乱数値の取り得る数値範囲は０〜６５５３５（数値範囲の大きさは６５５３６）、低確率状態における抽選データが示す数値範囲は１０００１〜１０１８７（数値範囲の大きさは１８７）であるから、低確率状態の第１特図始動口１２６または第２特図始動口１２８への球の入賞に基づく特図変動遊技の当選確率は、約１／３５０．４（＝１８７／６５５３６）である。これに対して、高確率状態における抽選データが示す数値範囲は２０００１〜２１８７１（数値範囲の大きさは１８７１）であるから、高確率状態の第１特図始動口１２６または第２特図始動口１２８への球の入賞に基づく特図変動遊技の当選確率は約１／３５．０（＝１８７１／６５５３６）であり、特図変動遊技の当選確率は、低確率状態よりも高確率状態の方が高くなるように設定している。
【００８０】
図１０（ｂ）に示す高確率状態移行判定テーブルは、上述の大当たり判定の結果、大当たりと判定した場合に使用する抽選データを記憶したデータテーブルである。
【００８１】
主制御部３００の基本回路３０２は、この高確率状態移行判定テーブルを用いて、特図変動遊技の終了後に大当たり遊技を開始するか、または特別大当たり遊技を開始するかの判定、すなわち確変移行判定を行う。例えば、取得した特図乱数値（乱数値については後述する）が１１〜７４の数値である場合には、ＲＡＭ３０８に設けた確変（確率変動）フラグの格納領域に、特図変動遊技の終了後に特別大当たり遊技を開始することを示す情報を設定する（ここで、確変フラグの格納領域に特別大当たり遊技開始の情報を設定することを確変フラグをオンに設定するという）。一方、取得した特図乱数値が１１〜７４の数値以外である場合には、上述の確変フラグの格納領域に、大当たり遊技を開始することを示す情報を設定する（ここで、確変フラグの格納領域に大当たり遊技開始の情報を設定することを確変フラグをオフに設定するという）。なお、本実施例では、特図乱数値の取り得る数値範囲は０〜１２７（数値範囲の大きさは１２８）、抽選データの移行判定乱数の範囲は１１〜７４（数値範囲の大きさは６４）であるから、大当たり判定の結果が当選である場合に確変移行判定の結果を当選にする確率、すなわち特別大当たりを開始する確率は１／２（＝６４／１２８）である。
【００８２】
図１０（ｃ）に示すタイマ番号決定テーブルは、上述の大当たりフラグと、抽選データと、特図表示装置１１４による特図の変動表示を開始してから停止表示をするまでの変動時間を示すタイマ番号と、を対応付けして記憶したデータテーブルである。
【００８３】
主制御部３００の基本回路３０２は、このタイマ番号決定テーブルと、上述の大当たり判定結果（大当たりフラグの値）および後述する特図タイマ乱数値（乱数値については後述する）に基づいて、タイマ番号を選択する。例えば、大当たりフラグがオフで、取得した特図タイマ乱数値が０〜６０２３５の数値である場合には、タイマ番号としてタイマ１（変動時間５秒）を選択し、大当たりフラグがオンで、取得した特図タイマ乱数値が０〜１５５３５の数値である場合には、タイマ番号としてタイマ２（変動時間１０秒）を選択する。なお、本実施例では、特図タイマ乱数値の取り得る数値範囲は０〜６５５３５（数値範囲の大きさは６５５３６）、上述の大当たり判定結果が不当選の場合は、タイマ１のタイマ乱数の範囲は０〜６０２３５（数値範囲の大きさは６０２３６）であるから、タイマ番号としてタイマ１（変動時間５秒）を選択する確率は６０２３６／６５５３６である。また、タイマ番号として、タイマ２（変動時間１０秒）を選択する確率は４２５０／６５５３６、タイマ３（変動時間２０秒）を選択する確率は８００／６５５３６、タイマ３（変動時間４０秒）を選択する確率は２５０／６５５３６である。一方、大当たり判定結果が当選の場合は、タイマ２のタイマ乱数の範囲は０〜１５５３５（数値範囲の大きさは１５５３６）であるから、タイマ番号としてタイマ２（変動時間１０秒）を選択する確率は１５５３５／６５５３６である。また、タイマ番号として、タイマ３（変動時間２０秒）を選択する確率は９０００／６５５３６、タイマ４（変動時間４０秒）を選択する確率は３８０００／６５５３６、タイマ５（変動時間５０秒）を選択する確率は３０００／６５５３６である。
【００８４】
＜主制御部リセット割り込み処理＞
【００８５】
次に、図１１を用いて、主制御部３００のＣＰＵ３０４が実行する主制御部リセット割り込み処理について説明する。なお、同図は主制御部リセット割り込み処理の流れを示すフローチャートである。
【００８６】
上述したように、主制御部３００には、電源が投入されると起動信号を出力する起動信号出力回路を設けている。この起動信号を入力した基本回路３０２のＣＰＵ３０４は、リセット割り込みによりリセットスタートしてＲＯＭ３０６に予め記憶している制御プログラムに従って処理を実行し、まず、ステップＳ１０１で各種の初期設定を行う。この初期設定では、入出力ポートの初期設定、各種変数の初期化、後述する主制御部タイマ割り込み処理を定期毎に実行するための周期を決める数値をカウンタタイマ３１２に設定する処理などを行う。
【００８７】
ステップＳ１０２では、復帰データ（前回、電源が遮断された時点における制御状態を復帰させるための情報を保存したデータ）をＲＡＭ３０８が記憶しているか否かを判断する。そして、復帰データをＲＡＭ３０８に記憶していた場合にはステップＳ１０３に進み、記憶していなかった場合にはステップＳ１０４に進む。
【００８８】
ステップＳ１０３では、復帰データを用いて、電源の遮断前の状態に復帰する。
【００８９】
ステップＳ１０４では、ソフトウェア乱数カウンタの更新を行う。ここでは、普図当選乱数カウンタ、および特図乱数値カウンタの初期値をそれぞれ生成するための２つの初期値生成用乱数カウンタと、普図タイマ乱数値、特図タイマ乱数値をそれぞれ生成するための２つの乱数カウンタを更新する。例えば、普図タイマ乱数値として取り得る数値範囲が０〜２０とすると、ＲＡＭ３０８に設けた普図タイマ乱数値を生成するための乱数カウンタ記憶領域から値を取得し、取得した値に１を加算してから元の乱数カウンタ記憶領域に記憶する。このとき、取得した値に１を加算した結果が２１であれば０を元の乱数カウンタ記憶領域に記憶する。他の初期値生成用乱数カウンタ、乱数カウンタもそれぞれ同様に更新する。主制御部３００は、所定の周期ごとに開始する主制御部タイマ割り込み処理を行っている間を除いて、このステップＳ１０４の処理を繰り返し実行する。
【００９０】
＜主制御部タイマ割り込み処理＞
【００９１】
次に、図１２を用いて、主制御部３００のＣＰＵ３０４が実行する主制御部タイマ割り込み処理について説明する。なお、同図は主制御部タイマ割り込み処理の流れを示すフローチャートである。
【００９２】
主制御部３００は、所定の周期（本実施例では２ｍｓに１回）でタイマ割り込みを発生するカウンタタイマ３１２を備えており、このタイマ割り込みを契機として主制御部タイマ割り込み処理を所定の周期で開始する。
【００９３】
ステップＳ２０１では、Ｉ／Ｏ３１０の入力ポートの値を取得して、各種センサ３１８の状態を検出する。例えば、第１、第２特図始動口１２６、１２８に球が入球していることを検出した場合にオン信号を出力する球検出センサからの信号を入力する。他の入賞口、始動口などについても対応する球検出センサからの信号を入力する。このステップＳ２０１において入力した結果は、ＲＡＭ３０８に各種センサごとに区画して設けた信号状態記憶領域に記憶する。
【００９４】
ステップＳ２０２では、ソフトウェア乱数カウンタの更新を行う。ここでは、主制御部３００で使用する普図当選乱数値および特図乱数値をそれぞれ生成するための２つの乱数カウンタと、上述の普図当選乱数値、および特図乱数値の初期値をそれぞれ生成するための２つの初期値生成用乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合にはそれぞれの乱数カウンタに対応する初期値生成用乱数カウンタの値を取得し、乱数カウンタの記憶領域にセットする。例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットすると共に、普図当選乱数値生成用の乱数カウンタが次に１周したことを判定するために、今回設定した初期値を上述の初期値記憶領域に記憶しておく。これらの処理の後でステップＳ１０４で行った初期値生成用乱数カウンタの値の更新を行う。なお、普図当選乱数値生成用の乱数カウンタが次に１周したことを判定するための上述の初期値記憶領域とは別に、特図乱数生成用の乱数カウンタが１周したことを判定するための初期値記憶領域をＲＡＭ３０８に設けている。
【００９５】
ステップＳ２０３では、上述のステップＳ２０１で各種センサから入力した信号の状態に基づいて入賞検出を行う。この入賞検出では、入賞口や始動口（一般入賞口１２２、第１、第２特図始動口１２６、１２８および可変入賞口１３０）に入賞（入球）があった場合には、ＲＡＭ３０８に設けた賞球数記憶領域の値に入賞口ごとに予め定めた賞球数を加算したり、第１特図始動口１２６または第２特図始動口１２８に入賞があり、且つ、保留している特図変動遊技数が４未満である場合には、入賞した始動口に対応するカウンタ回路３１６ｂのカウンタ値記憶用レジスタから値を特図当選乱数値として取得する。また、上述の特図乱数値生成用の乱数カウンタから値を特図乱数値として取得し、ＲＡＭ３０８に設けた乱数値記憶領域に特図当選乱数値と共に記憶する。また、普図始動口１２４を球が通過したことを検出し、且つ、保留している普図変動遊技の数が２未満の場合には、そのタイミングにおける普図当選乱数値生成用の乱数カウンタの値を普図当選乱数値として取得し、ＲＡＭ３０８に設けた上記特図用とは別の乱数値記憶領域に記憶する。
【００９６】
ステップＳ２０４では、特図変動遊技に関する処理（特図関連処理）を行う。この特図関連処理では、特図変動遊技および可変入賞口１３０の開閉制御を行っておらず、且つ、保留している特図変動遊技の数が１以上である場合に、主制御部３００が記憶する上述の各種データテーブルを使用した各種抽選のうち、最初に大当たり判定を行う。
【００９７】
具体的には、ステップＳ２０３で乱数値記憶領域に記憶した特図当選乱数値が、図１０（ａ）に示す大当たり判定テーブルの抽選データの数値範囲であるか否かを判定し、特図当選乱数値が抽選データの数値範囲である場合には、特図変動遊技の当選と判定して大当たりフラグをオンに設定する。一方、特図当選乱数値が抽選データの数値範囲外である場合には、特図変動遊技の外れと判定して大当たりフラグをオフに設定する。例えば、特図抽選状態が低確率状態で、第１特図始動口１２６または第２特図始動口１２８への球入賞の検出に基づいて取得した特図当選乱数値が１０１００の場合は、特図当選乱数値が１０００１〜１０１８７の範囲であることから大当たりフラグをオンに設定し、特図当選乱数値が１０３００の場合は、特図当選乱数値が１０００１〜１０１８７の範囲外であることから大当たりフラグをオフに設定する。
【００９８】
大当たりフラグにオンを設定した場合には、次に確変移行判定を行う。具体的には、ステップＳ２０３で乱数値記憶領域に記憶した特図乱数値が、図１０（ｂ）に示す移行判定乱数の数値範囲であるか否かを判定し、特図乱数値が抽選データの数値範囲である場合には、上述の確変フラグをオンに設定し、特図乱数値が抽選データの数値範囲以外である場合には、上述の確変フラグをオフに設定する。例えば、取得した特図乱数値が２０の場合には、特図乱数値が１１〜７４の範囲であることから確変フラグをオンに設定する。一方、取得した特図乱数値が８０の場合には、特図乱数値が１１〜７４の範囲外であることから確変フラグをオフに設定する。
【００９９】
大当たり判定の結果に関わらず、次にタイマ番号を決定する処理を行う。具体的には、上述の特図タイマ乱数値生成用の乱数カウンタの値を特図タイマ乱数値として取得する。そして、大当たりフラグの値、および取得した特図タイマ乱数値に基づいて、図１０（ｃ）に示すタイマ選択乱数の数値範囲に対応するタイマ番号を選択し、ＲＡＭ３０８に設けたタイマ番号記憶領域に記憶する。また、そのタイマ番号に対応する変動時間をＲＡＭ３０８に設けた変動時間記憶領域に記憶して処理を終了する。例えば、大当たりフラグがオフで、取得した特図タイマ乱数値が５００００の場合には、特図タイマ乱数値は０〜６０２３５の範囲であることから、タイマ番号決定テーブルのそれらの条件に対応する１行目に記憶しているタイマ番号を示すタイマ１、および変動時間を示す５を選択し、ＲＡＭ３０８に設けたそれぞれの記憶領域に記憶する。一方、大当たりフラグがオンで、取得した特図タイマ乱数値が６４０００の場合には、特図タイマ乱数値は０〜１５５３５の範囲ではないことからタイマ２は選択せず、１５５３６〜２４５３５ではないことからタイマ３は選択せず、２４５３６〜６２５３５ではないことからタイマ４は選択しないが、６２５３６〜６５５３５の範囲内であることから、タイマ番号決定テーブルのそれらの条件に対応する８行目に記憶しているタイマ番号を示すタイマ５、および変動時間を示す５０を選択し、ＲＡＭ３０８に設けたそれぞれの記憶領域に記憶する。なお、主制御部タイマ割り込み処理の開始周期である２ｍｓを考慮して、選択した変動時間の値に５００（１０００ｍｓ／２ｍｓ）を掛けた値を変動時間記憶領域にセットする。例えば、変動時間として５秒を選択した場合には、変動時間記憶領域には２５００の値を初期値としてセットし、後述するタイマ更新処理（ステップＳ２０８）を実行する度に、この変動時間記憶領域の値を１だけ減算するようにすることで、主制御部タイマ割り込み処理の実行回数により時間の経過を計測できるようにしている。
【０１００】
また、上述の変動時間記憶領域の値が１から０になったタイミングで開始する特図変動関連処理では、大当たりフラグがオンの場合には、特図表示装置１１４に特図１または特図２、大当たりフラグがオフの場合には、特図３を表示するように設定すると共に、その後、所定の停止表示期間（例えば５００ｍ秒間）その表示を維持するように設定する。この設定により特図の停止表示を行い、特図変動遊技の結果を遊技者に報知するようにしている。
【０１０１】
すなわち、本実施例における「特別図柄（特図）変動遊技」は、第１特図始動口１２６または第２特図始動口１２８に球が入賞したことを所定の球検出センサが検出した場合に、ステップＳ２０３の入賞検出処理で、特図当選乱数値および特図乱数値を取得し、取得した値をＲＡＭ３０８の所定の記憶領域にそれぞれ記憶するところから開始し、ステップＳ２０４の特図関連処理でＲＡＭ３０８の所定の記憶領域に記憶している乱数カウンタの値を特図タイマ乱数値として取得し、ＲＡＭ３０８の所定の記憶領域に記憶してある特図当選乱数値に基づいて大当たり判定し、ＲＡＭ３０８の所定の記憶領域に記憶してある特図乱数値に基づいて確率変動の判定を行い、大当たり判定結果および取得した特図タイマ乱数値などに基づいて特図変動時間を決定し、その変動時間の間に亘って特図を変動表示し、さらに上述の大当たり判定結果および確率変動の判定に基づいて決定した特図１、特図２または特図３の停止表示を行って終了する。
【０１０２】
また、所定の停止表示期間が終了したタイミングで開始する特図変動関連処理では、大当たりフラグがオンの場合には、所定の入賞演出期間（例えば３秒間）すなわち装飾図柄表示装置１１０による大当たりを開始することを遊技者に報知する画像を表示している期間待機するように設定する。
【０１０３】
また、所定の入賞演出期間が終了したタイミングで開始する特図変動関連処理では、所定の開放期間（例えば２９秒間、または可変入賞口１３０に所定球数（例えば１０球）の遊技球の入賞を検出するまで）可変入賞口１３０の扉部材の開閉駆動用のソレノイド３３０（可変入賞口開閉用ソレノイド１３０ｂ）に、扉部材を開放状態に保持する信号を出力するように設定する。
【０１０４】
また、所定の開放期間が終了したタイミングで開始する特図変動関連処理では、所定の閉鎖期間（例えば１．５秒間）可変入賞口１３０の扉部材の開閉駆動用のソレノイド３３０に、扉部材を閉鎖状態に保持する信号を出力するように設定する。
【０１０５】
この扉部材の開放・閉鎖制御を所定回数（例えば１５ラウンド）繰り返し、終了したタイミングで開始する特図変動関連処理では、所定の終了演出期間（例えば３秒間）すなわち装飾図柄表示装置１１０による所定の情報（例えば、大当たりを終了することを遊技者に報知する画像）を表示している期間待機するように設定する。
【０１０６】
また、所定の終了演出期間が終了したタイミングで開始する特図変動関連処理では、保留している特図変動遊技の数が１以上であれば、上述の大当たり判定など次の特図変動遊技を開始する。なお、保留している特図変動遊技の数は、ＲＡＭ３０８に設けた特図保留数記憶領域に記憶するようにしており、大当り判定をするたびに、保留している特図変動遊技の数から１を減算した値を、この特図保留数記憶領域に記憶し直すようにしている。
【０１０７】
ステップＳ２０５では、普図変動遊技に関する処理（普図関連処理）を行う。この普図関連処理では、普図変動遊技および第２特図始動口１２８の開閉制御を行っておらず、且つ、保留している普図変動遊技の数が１以上である場合には、最初に当たり判定を行う。
【０１０８】
具体的には、ステップＳ２０３で乱数値記憶領域に記憶した普図当選乱数値が、所定の判定テーブルの抽選データの数値範囲であるか否かを判定し、普図当選乱数値が抽選データの数値範囲である場合には、普図変動遊技の当選と判定して当たりフラグをオンに設定する。一方、普図当選乱数値が抽選データの数値範囲外である場合には、普図変動遊技の外れと判定して当たりフラグをオフに設定する。
【０１０９】
当たり判定の結果に関わらず、次にタイマ番号を決定する処理を行う。具体的には、上述の普図タイマ乱数値生成用の乱数カウンタの値を普図タイマ乱数値として取得する。そして、普図変動遊技の保留球数、および取得した普図タイマ乱数値に基づいてタイマ番号を選択し、ＲＡＭ３０８に設けたタイマ番号記憶領域に記憶する。また、そのタイマ番号に対応する変動時間をＲＡＭ３０８に設けた変動時間記憶領域に記憶して処理を終了する。
【０１１０】
また、上述の普図用の変動時間記憶領域の値が１から０になったタイミングで開始する普図関連処理では、当たりフラグがオンの場合には、普図表示装置１１２に上述の普図１、当たりフラグがオフの場合には上述の普図２を表示するように設定すると共に、その後、所定の停止表示期間（例えば５００ｍ秒間）その表示を維持するように設定する。この設定により普図の停止表示を行い、普図変動遊技の結果を遊技者に報知するようにしている。
【０１１１】
すなわち、本実施例における「普通図柄（普図）変動遊技」は、普図始動口１２４に球が入賞したことを所定の球検出センサが検出した場合に、ステップＳ２０３の入賞検出処理で、普図当選乱数値を取得し、取得した値をＲＡＭ３０８の所定の記憶領域に記憶するところから開始し、ステップＳ２０５の普図関連処理でＲＡＭ３０８の所定の記憶領域に記憶している乱数カウンタの値を普図タイマ乱数値として取得し、ＲＡＭ３０８の所定の記憶領域に記憶してある普図当選乱数値に基づいて当り判定し、その判定結果と取得した普図タイマ乱数値に基づいて普図変動時間の決定を行い、その変動時間の間に亘って普図を変動表示し、さらに上述の当り判定結果に基づいて決定した普図１または普図２の停止表示を行って終了する。
【０１１２】
また、所定の停止表示期間が終了したタイミングで開始する普図関連処理では、当りフラグがオンの場合には、所定の開放期間（例えば２秒間）、第２特図始動口１２８の羽根の開閉駆動用のソレノイド３３０に、羽根を開放状態に保持する信号を出力するように設定する。
【０１１３】
また、所定の開放期間が終了したタイミングで開始する普図関連処理では、第２特図始動口１２８の羽根の開閉駆動用のソレノイド３３０に、羽根を閉鎖状態に保持する信号を出力するように設定すると共に、所定の閉鎖期間（例えば５００ｍ秒間）開閉駆動用のソレノイド３３０に、羽根の閉鎖状態を保持するように設定する。
【０１１４】
また、所定の閉鎖期間を経過したタイミングで開始する普図関連処理では、保留している普図変動遊技の数が１以上である場合に、上記当り判定処理など次の普図変動遊技を開始する。なお、保留している普図変動遊技の数は、ＲＡＭ３０８に設けた普図保留数記憶領域に記憶するようにしており、当り判定をするたびに、保留している普図変動遊技の数から１を減算した値を、この普図保留数記憶領域に記憶し直すようにしている。
【０１１５】
ステップＳ２０６では、演出制御部３５０に対して制御コマンド（演出コマンド）を送信する。なお、この制御コマンドには、上述のステップＳ２０４で大当たり判定をおこなった場合に送信する変動開始コマンド、上述の変動時間記憶領域の値が１から０になった場合に送信する変動停止コマンド、大当たり判定で大当たりフラグを設定した場合に送信する大当たり開始コマンド、上述の所定の開放期間の開始毎に送信するラウンド開始情報などがあり、上述の変動開始コマンドには、変動時間（例えば選択したタイマ番号）、確変フラグのオン／オフの情報、大当たりフラグのオン／オフの情報などを含み、ラウンド開始コマンドには大当たりを開始してから可変入賞口１３０を開放させた回数を示す情報（例えばラウンド数）などを含めるようにしている。また、払出制御部４００に対して払出コマンドを送信する。なお、この払出コマンドには、上述の賞球数記憶領域の値に基づく賞球数などを含めるようにしている。
【０１１６】
ステップＳ２０７では、各種ソレノイド３３０を駆動して、第２特図始動口１２８、可変入賞口１３０の開閉を制御したり、ＲＡＭ３０８に記憶している遊技情報を、情報出力回路３３４を介してパチンコ機１００とは別体の情報入力回路５５０に出力する。また、表示回路３２２、３２４、３２８を介して普図表示装置１１２、特図表示装置１１４、各種状態表示部３２６などに出力する表示データを、Ｉ／Ｏ３１０の出力ポートに設定する。
【０１１７】
ステップＳ２０８では、普通図柄表示装置１１２、特図表示装置１１４に図柄を変動・停止表示する時間、所定の入賞演出時間、所定の開放時間、所定の閉鎖時間、所定の終了演出期間などを計時するためのタイマなどを含む各種タイマを更新する。
【０１１８】
ステップＳ２０９では、電源管理部５００から主制御部３００に供給している電源の電圧値を監視する電圧監視回路が、所定の値以下である場合に電圧が低下したことを示す電圧低下信号を出力しているか否か、すなわち電源の遮断を検知したか否かを監視し、電源の遮断を検知した場合には、復電時に電断時の状態に復帰するための特定の変数やスタックポインタを復帰データとしてＲＡＭ３０８の所定の領域に退避し、入出力ポートの初期化などの電断処理を行う。
【０１１９】
次に、図１３を用いて、主制御部３００のＣＰＵ３０４が大当たり中に実行する大当たり演出処理の一例について説明する。なお、同図は大当たり演出処理の一例の流れを示すフローチャートである。
【０１２０】
ステップＳ３０１では、ラウンド数の初期値を０に設定して、ＲＡＭ３０８の所定の領域に記憶する。
【０１２１】
ステップＳ３０２では、蓄積装置２００の入球口用扉部材２０４ａを開位置に移動させる。ここでは、入球口開閉用モータ２０４ｂを制御して、入球口用扉部材２０４ａを開位置に移動させる。すなわち、蓄積装置２００の入球口２０４を開放して、可変入賞口１３０に入球した遊技球が入球口２０４を通過して蓄積装置２００の収容ケース２０２内へ導かれるように設定する。なお、入球口２０４の開閉は可変入賞口１３０の開閉と略同期して実行される。
【０１２２】
ステップＳ３０３では、入球口２０４に第１所定数の遊技球が入球したか否か、または所定時間が経過したか否かを判定する。ここでは、可変入賞口１３０が備える所定の球検出センサが、第１所定数（例えば、各ラウンドの最大入賞数である１０個）の遊技球の入球を検出したか否かを判定し、第１所定数の遊技球の入球を検出した場合は、ステップＳ３０４に進む。また、第１所定数の遊技球の入球を検出していない場合であっても、所定時間（例えば、可変入賞口１３０の開放期間である２９秒間）が経過した場合は、ステップＳ３０４に進む。なお、入球口２０４近傍に入球口用球検出センサをさらに配設して、この入球口用球検出センサによって、第１所定数の遊技球が入球口２０４に入球したか否かを判定するようにしてもよい。
【０１２３】
ステップＳ３０４では、入球口用扉部材２０４ａを閉位置に移動させる。ここでは、入球口開閉用モータ２０４ｂを制御して、入球口用扉部材２０４ａを閉位置に移動させる。
【０１２４】
ステップＳ３０５では、ラウンド数に１を加算して、ＲＡＭ３０８の所定の領域に記憶する。
【０１２５】
ステップＳ３０６では、入球口２０４に第２所定数の遊技球が入球したか否かを判定する。ここでは、可変入賞口１３０が備える所定の球検出センサが、第２所定数（例えば、大当たり中の最大入賞数である１５０個）の遊技球の入球を検出したか否かを判定し、第２所定数の遊技球の入球を検出した場合はステップＳ３０７に進み、そうでない場合はステップＳ３０８に進む。
【０１２６】
ステップＳ３０７では、所定の情報を装飾図柄表示装置１１０に表示する。ここでは、例えば、上述した確変移行判定の結果、大当たり終了後に高確率状態に移行する旨のメッセージ、または高確率状態に移行しない旨のメッセージ等を装飾図柄表示装置１１０に表示させる。
【０１２７】
ステップＳ３０８では、ラウンド数が最終ラウンドであるか否かを判定する。ここでは、ＲＡＭ３０８の所定の領域に記憶した現在のラウンド数が最終ラウンド（例えば、１５ラウンド目）であるか否かを判定し、現在のラウンド数が最終ラウンドである場合はステップＳ３０９に進み、そうでない場合はステップＳ３０２に戻る。
【０１２８】
ステップＳ３０９では、蓄積装置２００の排出口用扉部材２０６ａを開位置に移動させる。ここでは、排出口開閉用モータ２０６ｂを制御して、排出口用扉部材２０６ａを開位置に移動させる。これにより、蓄積装置２００の排出口２０６が開放され、収容ケース２０２内に蓄積されていた遊技球は、排出口２０６を通過してパチンコ機１００の裏側に向けて排出されることとなる。
【０１２９】
ステップＳ３１０では、遊技球が全て排出されたか否かを判定する。ここでは、収容ケース２０２内に蓄積されていた遊技球が全て排出されたか否かを、例えば、排出口用扉部材２０６ａを開位置に移動させてから所定時間が経過したか否かによって判定する。収容ケース２０２内に蓄積されていた遊技球が全て排出された場合は、ステップＳ３１１に進む。なお、排出口２０６近傍に排出口用球検出センサをさらに配設し、この排出口用球検出センサによって、収容ケース２０２内に蓄積されていた遊技球が全て排出されたか否かを判定するようにしてもよい。
【０１３０】
ステップＳ３１１では、排出口用扉部材２０６ａを閉位置に移動させる。ここでは、排出口開閉用モータ２０６ｂを制御して、排出口用扉部材２０６ａを閉位置に移動させる。
【０１３１】
以上説明したように、本実施例に係るパチンコ機１００は、遊技球が通過する遊技領域１０４に配設される表示装置（本実施例では、装飾図柄表示装置）１１０と、表示装置１１０の画面の前方に配設される蓄積装置２００と、を備え、蓄積装置２００は、遊技球が入球する入球口２０４と、入球口２０４に入球した遊技球を内部に収容する収容ケース２０２と、収容ケース２０２内の遊技球を排出する排出口２０６と、排出口２０６を開閉する排出口用扉部材２０６ａと、排出口用扉部材２０６ａを排出口２０６からの遊技球の排出を可能とする開位置と排出口２０６からの遊技球の排出を阻止する閉位置との間で移動させる排出口用扉部材駆動手段（本実施例では、排出口開閉用モータ）２０６ｂと、からなるため、蓄積装置２００の収容ケース２０２内に遊技球を蓄積して表示装置１１０の表示を遊技者が視認不可能または困難となるように遮蔽し、排出口２０６から収容ケース２０２内に蓄積された遊技球を排出して表示装置１１０の表示を遊技者に視認させるという、新規性の高い演出を行うことが可能となり、遊技の面白みを高め、遊技者の遊技意欲を向上させることができる。
【０１３２】
また、収容ケース２０２は、表示装置１１０の画面を全て遮蔽する量の遊技球を収容することが可能な収容スペースを備えるため、収容ケース２０２内に蓄積した遊技球によって表示装置１１０の表示内容を遊技者から完全に遮蔽することができる。
【０１３３】
また、蓄積装置２００は、入球口２０４を開閉する入球口用扉部材２０４ａと、入球口用扉部材２０４ａを入球口２０４への遊技球の入球を可能とする開位置と入球口２０４への遊技球の入球を阻止する閉位置との間で移動させる入球口用扉部材駆動手段（本実施例では、入球口開閉用モータ）２０４ｂと、をさらに備えるため、遊技状態や演出の態様に応じて入球口２０４に遊技球を入球させるか否かを決定することができる。
【０１３４】
また、収容ケース２０２に所定量の遊技球が蓄積されたことを判断する判断手段（本実施例では、大当たり演出処理のステップＳ３０３）をさらに備え、入球口用扉部材駆動手段２０４ｂは、判断手段の判断結果に基づいて前記入球口用扉部材２０４ａを駆動するため、収容ケース２０２内に遊技球を所定量だけ蓄積することが可能となり、遊技球の詰まり等に起因するトラブルを未然に防ぐことができる。
【０１３５】
また、表示装置１１０は、収容ケース２０２に収容された遊技球により表示装置１１０の画面が遮蔽された後に表示装置１１０の画面に所定の情報を表示し、蓄積装置２００は、遊技球を収容ケース２０２から排出することで、所定の情報を徐々に前方から視認されるようにするため、表示装置１１０に表示された新たな情報を、遊技球の排出に伴って、少しずつ遊技者に視認させることで、遊技者の興味を引き付け、遊技の面白みを高めることができる。
【０１３６】
なお、本発明に係る遊技台は、上記した実施の形態に限定されるものではなく、本発明の要旨を逸脱しない範囲内において種々変更を加え得ることは勿論である。例えば、可変入賞口１３０は、遊技領域１０４の上部に配設されるものに限られず、遊技領域１０４のその他の部分に配設されるものであってもよい。
【０１３７】
また、蓄積装置２００は、可変入賞口１３０に入球した遊技球を収容ケース２０２内に蓄積するものに限られず、その他の入賞口、始動口または別の新たな入球口に入球した遊技球を収容ケース２０２内に蓄積するものであってもよい。
【０１３８】
また、入球口開閉用モータ２０４ｂおよび排出口開閉用モータ２０６ｂの代わりに、ソレノイド等のアクチュエータを使用してもよい。
【０１３９】
また、蓄積装置２００は、第２所定数の遊技球を収容ケース２０２内に収容した場合に、装飾図柄表示装置１１０の全ての表示を遮蔽するものに限られず、装飾図柄表示装置１１０の一部の表示を遮蔽するものであってもよいし、遊技状態や演出の態様に応じて第２所定数を変更して、装飾図柄表示装置１１０を遮蔽する範囲を変化させるものであってもよい。
【０１４０】
また、上記各実施例においては、遊技台として、パチンコ機やスロットマシン等の実機の例を示したが、本発明に係る遊技台はこれに限定されるものではなく、例えば、パチンコ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０１４１】
また、本発明の実施の形態に記載された作用および効果は、本発明から生じる最も好適な作用および効果を列挙したに過ぎず、本発明による作用および効果は、本発明の実施の形態に記載されたものに限定されるものではない。
【産業上の利用可能性】
【０１４２】
本発明に係る遊技台は、パチンコ機等に代表される遊技台の分野で特に利用することができる。
【図面の簡単な説明】
【０１４３】
【図１】ガラス枠１５１を開いた状態のパチンコ機１００を示す斜視図である。
【図２】蓄積装置２００周辺を拡大して示す分解斜視図である。
【図３】蓄積装置２００周辺を拡大して示す分解斜視図である。
【図４】蓄積装置２００周辺の遊技盤１０２の断面図である。
【図５】蓄積装置２００の収容ケース２０２内に遊技球１０１を収容した場合を示す斜視図である。
【図６】蓄積装置２００の収容ケース２０２内に遊技球１０１を収容した場合を示す斜視図である。
【図７】蓄積装置２００の収容ケース２０２内に遊技球１０１を収容した場合を示す斜視図である。
【図８】（ａ）は特図の停止表示態様の一例を、（ｂ）は装飾図柄の一例を、（ｃ）は普図の停止表示態様の一例を、それぞれ示したものである。
【図９】パチンコ機１００の主制御部３００、演出制御部３５０、払出制御部４００、発射制御部４５０、および電源管理部５００の回路ブロック図である。
【図１０】（ａ）は大当たり判定テーブルの一例を、（ｂ）は大当たり時の特図選択テーブルの一例を、（ｃ）はタイマ番号決定テーブルの一例を、それぞれ示した図である。
【図１１】主制御部リセット割り込み処理の流れを示すフローチャートである。
【図１２】主制御部タイマ割り込み処理の流れを示すフローチャートである。
【図１３】大当たり演出処理の一例の流れを示すフローチャートである。
【符号の説明】
【０１４４】
１００・・・パチンコ機
１０４・・・遊技領域
１１０・・・装飾図柄表示装置
２００・・・蓄積装置
２０２・・・収容ケース
２０４・・・入球口
２０４ａ・・・入球口用扉部材
２０４ｂ・・・入球口開閉用モータ
２０６・・・排出口
２０６ａ・・・排出口用扉部材
２０６ｂ・・・排出口開閉用モータ
【図１】
2008279084.tif 000003
【図２】
2008279084.tif 000004
【図３】
2008279084.tif 000005
【図４】
2008279084.tif 000006
【図９】
2008279084.tif 000007
【図１１】
2008279084.tif 000008
【図１２】
2008279084.tif 000009
【図１３】
2008279084.tif 000010
【図５】
2008279084.tif 000011
【図６】
2008279084.tif 000012
【図７】
2008279084.tif 000013
【図８】
2008279084.tif 000014
【図１０】
2008279084.tif 000015